(57)【要約】【課題】  施工が簡単にできる嵌め殺し窓を提供する。【解決手段】  本発明の嵌め殺し窓１において、上側押縁係止材１９と下側押縁係止材２１は方立の左右に位置する嵌め殺しパネルの室内側面受け部４１を有し、上側押縁材２３及び下側押縁材２５は左右の嵌め殺しパネル１７、１７間に設けてあり且つ左右の嵌め殺しパネルの屋外側面受け部４３を有し、上側押縁係止材１９及び上側押縁材２３は上枠７と無目１１との間に位置し、下側押縁係止材２１及び下側押縁材２５は下枠９と無目１１との間に位置し、方立１３は上室外側面１３ａを上枠７の室内側面に固定すると共に下室外側面を下枠９の室内側面に固定してあり、無目１１は方立１３が交差する位置に室内側に開口する切除部２９を有し、切除部２９に方立１３の交差部分が嵌めてあり、無目１１は嵌め殺しパネル１７の屋内側位置で且つ方立１３の屋外側位置に長手方向に連続する止水壁３１を有している。【選択図】      図１
2005146510.tif 000002
【特許請求の範囲】
【請求項１】
左右の竪枠と、左右の竪枠間に架設した上下枠及び無目と、室外側面を上下枠の室内側面に当接して架設した方立と、方立に固定する上側押縁係止材及び下側押縁係止材と、上側押縁係止材に係止する上側押縁材と、下側押縁係止材に係止する下側押縁材と、竪枠と上下枠と無目と方立とが形成する各開口部に取り付ける嵌め殺しパネルとを備え、上側押縁係止材と下側押縁係止材は方立の左右に位置する嵌め殺しパネルの室内側面受け部を有し、上側押縁材及び下側押縁材は左右の嵌め殺しパネル間に設けてあり且つ左右の嵌め殺しパネルの屋外側面受け部を有し、上側押縁係止材及び上側押縁材は上枠と無目との間に位置し、下側押縁係止材及び下側押縁材は下枠と無目との間に位置し、方立は上室外側面を上枠の室内側面に固定すると共に下室外側面を下枠の室内側面に固定してあり、無目は方立が交差する位置に室内側に開口する切除部を有し、切除部に方立の交差部分が嵌めてあり、無目は嵌め殺しパネルの屋内側位置で且つ方立の屋外側位置に長手方向に連続する止水壁を有していることを特徴とする嵌め殺し窓。
【発明の詳細な説明】
【技術分野】
【０００１】
本発明は、嵌め殺し窓に関する。
【背景技術】
【０００２】
特許文献１には、左右の竪枠と、上下枠と、無目と、方立とが形成する各開口部に嵌め殺しパネルを取り付け、方立の左右に位置する嵌め殺しパネルを方立に係止した押縁係止材と押縁材とで固定することが開示されている。
【０００３】
【特許文献１】特開平７−１０９８７１号公報
【発明の開示】
【発明が解決しようとする課題】
【０００４】
しかし、特許文献１の嵌め殺し窓では、方立と左右の竪枠との間に無目を架設し、方立の左右側面に無目を連結しているため、嵌め殺し窓の結露水等が方立と無目との連結部に入り込むおそれがあるので、方立と左右の無目との連結部にシール作業が必要となり、施工に手間がかかるという問題がある。
また、方立と方立の左右にある無目をそれぞれ方立に連結する必要があり、施工に手間がかかるという問題がある。
【０００５】
そこで、本発明は、施工が簡単にできる嵌め殺し窓の提供を目的とする。
【課題を解決するための手段】
【０００６】
請求項１に記載の発明は、左右の竪枠と、左右の竪枠間に架設した上下枠及び無目と、室外側面を上下枠の室内側面に当接して架設した方立と、方立に固定する上側押縁係止材及び下側押縁係止材と、上側押縁係止材に係止する上側押縁材と、下側押縁係止材に係止する下側押縁材と、竪枠と上下枠と無目と方立とが形成する各開口部に取り付ける嵌め殺しパネルとを備え、上側押縁係止材と下側押縁係止材は方立の左右に位置する嵌め殺しパネルの室内側面受け部を有し、上側押縁材及び下側押縁材は左右の嵌め殺しパネル間に設けてあり且つ左右の嵌め殺しパネルの屋外側面受け部を有し、上側押縁係止材及び上側押縁材は上枠と無目との間に位置し、下側押縁係止材及び下側押縁材は下枠と無目との間に位置し、方立は上室外側面を上枠の室内側面に固定すると共に下室外側面を下枠の室内側面に固定してあり、無目は方立が交差する位置に室内側に開口する切除部を有し、切除部に方立の交差部分が嵌めてあり、無目は嵌め殺しパネルの屋内側位置で且つ方立の屋外側位置に長手方向に連続する止水壁を有していることを特徴とする。
【発明の効果】
【０００７】
請求項１に記載の発明によれば、左右の竪枠間に架設した無目の室内側切除部に方立を嵌めてあり、且つ無目は方立の室外側位置において左右の竪枠間で長手方向に連続する止水壁を有しているので、嵌め殺しパネルの結露水等は、無目の止水壁に堰き止められ、方立が嵌め込まれている切除部に達することが防止されている。
したがって、方立と無目との間にシール作業を必要としないので、施工が簡単である。
また、無目は左右竪枠間に架設し且つ方立は無目の室内側切除部に嵌め込んであり、方立と無目との連結を簡単にできるので、この点においても施工が簡単である。
【発明を実施するための最良の形態】
【０００８】
以下に、添付図面を参照して本発明の実施の形態を説明する。図１は図３に示す嵌め殺しサッシのＡ―Ａ断面図であり、図２は図３に示す嵌め殺しサッシのＢ―Ｂ縦断面図であり、図３は本実施の形態にかかる嵌め殺しサッシを室外側から見た正面図である。また、図２において一点鎖線で抜き出して示しているのは拡大図である。なお、図１は嵌め殺しサッシの右側を示しており、左側は右側と略同じ構成である。
本実施の形態にかかる嵌め殺しサッシ１は、左右の竪枠３、５と、上下枠７、９と、無目１１と、方立１３とを備えており、左右の竪枠３、５と上下枠７、９と、無目１１と方立１３とで上下左右に合計４つの開口部１５を形成している。各開口部１５には、嵌め殺しパネル１７が取り付けられている。
方立１３には、上側押縁係止材１９と下側押縁係止材２１とが固定されており、上側押縁係止材１９には上側押縁材２３が係止されており、下側押縁係止材２１には下側押縁材２５が係止されている。上側押係止材１９及び上側押縁材２３は上枠７と無目１１との間に位置し、下側押縁係止材２１及び下側押縁材２５は下枠９と無目１１との間に位置している。
尚、図１には上側押縁係止材１９と上側押縁材２３の断面を示しているが、下側押縁係止材２１と下側押縁材２５も同じ構成である。
左右の竪枠３、５には嵌め殺しパネル１７の室内側面を受けるパネル受け部３３と、嵌め殺しパネル１７の室外側面を受ける押縁材３５とが係止されている。これらのパネル受け部３３と押縁材３５とは、無目１１を挟んで左右の竪枠３、５の上下にそれぞれ設けてある。
上下枠７、９は左右の竪枠３、５間に架設されている。
方立１３は左右の竪枠３、５間において、室外側面１３ａを上下枠７、９の室内側面７ｂ、９ｂに当接してあり、上室外側面を上枠７の室内側面７ｂに固定してあり、下室外側面を下枠９の室内側面９ｂに固定している。
無目１１は上下枠７、９間において左右の竪枠３、５間に架設してあり、無目１１には方立１３が交差して配置され、方立１３が交差する位置に室内側に開口する切除部２９が形成されている。この切除部２９に方立１３の交差部分１３ｃが嵌めこまれている。また、無目１１は、嵌め殺しパネル１７の室内側位置で且つ方立１３の室外側位置に止水壁３１を有している。この止水壁３１は無目１１の長手方向に沿って、左右竪枠３、５間に連続して設けている。
嵌め殺しパネル１７と止水壁３１との間には、嵌め殺しパネル１７下端の室内側面を受けるパネル面受け部３９が設けてあり、パネル面受け部３９は止水壁３１に沿って、無目１１の長手手方向に連続して設けてあり且つこのパネル面受け部３９は止水壁３１に設けた係止部３６に係止されている。
尚、上枠７、下枠９及び無目の下部にも、パネルの室内側面を受けるパネル面受け部３９が設けてある。
方立１３に固定されている上側押縁係止材１９と下側押縁係止材２１とは、左右の嵌め殺しパネル１７、１７間に位置し且つそれぞれ方立１３の左右に取り付けてあり、方立１３の左右に配置された嵌め殺しパネル１７、１７の室内側面を受けている。
上側押縁係止材１９には上側押縁材２３が係止しており、下側押縁係止材２１には上側押縁係止材１９と同様に下側押縁材２５が係止されている。
上側押縁係止材１９は上嵌め殺しパネル１７の室内側面受け部４１を有しており、同様に下側押縁係止材２１も下嵌め殺しパネル１７の室内側面受け部４１を有している。
上側及び下側押縁材２３はそれぞれ左右の嵌め殺しパネル１７、１７間に設けてあり、
上側押縁材２３は上嵌め殺しパネル１７の室外側面を受ける室外側面受け部４３を有しており、上側押縁材２３と同様に下側押縁材２５にも下嵌め殺しパネルの室外側面受け部４３が設けてある。
尚、本実施の形態では、左右の竪枠３、５と、上下枠７、９と、無目１１と上側押縁材２３及び下側押縁材２５は断熱構造になっている。
【０００９】
次に、本実施の形態にかかる嵌め殺しサッシ１の施工、作用及び効果について説明する。嵌め殺しサッシ１の施工は、左右竪枠３、５間に上下枠７、９及び無目１１を架設し、上下枠７、９間に方立１３を架設する。方立１３は無目１１との交差部分を無目１１の切除部２９に嵌め込む。これにより、左右の竪枠３、５、上下枠７、９及び無目１１とで上下左右に合計４つの開口部１５を形成する。
方立１３に上側押縁係止材１９及び下側押縁係止材２１を固定し、左右の竪枠３、５に嵌め殺しパネル１７の室内側面受け部３３を、上下枠７、９及び無目１１にパネル面受け部３９を係止した後、各開口部１５に嵌め殺しパネル１７を取り付け、方立１３に固定した上側押縁係止材１９に上側押縁材２３を係止し、下側押縁係止材２１に下側押縁材２５を係止するとともに左右の竪枠３、５と上下枠７、９及び無目１１にも押縁材３５を取り付けて嵌め殺しパネル１７の四縁を固定する。
【００１０】
本実施の形態によれば、方立１３は左右の竪枠３、５間に架設した無目１１の室内側切除部２９に嵌めてあり、無目１１は方立１３の室外側位置において左右の竪枠３、５間で長手方向に連続する止水壁３１を有しているので、嵌め殺しパネル１７の結露水等は、無目１１の止水壁３１に堰き止められ、方立１３が嵌め込まれている切除部２９に達することが防止されている。
したがって、方立１３と無目１１との間にシール作業を必要としないので、嵌め殺しサッシ１の施工が簡単である。
また、無目１１は左右竪枠３、５間に架設してあり、方立１３は無目１１の室内側切除部２９に嵌め込んであるので、方立３と無目１１との連結を簡単にでき、施工が簡単である。
方立１３は、無目１１の切除部２９に嵌め込んでおり、奥行き寸法（室内外方向の寸法）に制限がないので、奥行き寸法の異なる複数種類のものから選択自在である。
【００１１】
本発明は、上述した実施の形態に限らず、本発明の要旨を逸脱しない範囲で種々変形可能である。
例えば、左右の竪枠３、５と、上下枠７、９と、無目１１と上側押縁材２３及び下側押縁材２５はそれぞれ断熱構造を取らなくてもよい。
止水壁３１の壁面には係止部３６等の凹凸が無くても良いし、止水壁３１は水を堰き止めるものであればその形状は問わない。
【図面の簡単な説明】
【００１２】
【図１】図３に示す嵌め殺しサッシのＡ―Ａ断面図である。
【図２】図３に示す嵌め殺しサッシのＢ―Ｂ縦断面図である。
【図３】本実施の形態にかかる嵌め殺しサッシを室外側から見た正面図である。
【符号の説明】
【００１３】
１      嵌め殺しサッシ
３      左竪枠
５      右竪枠
７      上枠
９      下枠
１１    無目
１３    方立
１５    開口部
１７    嵌め殺しパネル
１９    上側押縁係止材
２１    下側押縁係止材
２３    上側押縁材
２５    下側押縁材
２９    切除部
３１    止水壁
４１    室内側面受け部
４３    室外側面受け部
【図１】
2005146510.tif 000003
【図２】
2005146510.tif 000004
【図３】
2005146510.tif 000005